(57)【特許請求の範囲】
【請求項１】
刃先を備えた少なくとも２個の刃物がヘアーカット剃刀用母材に立起され、該刃先が刃物の立起方向に対して直角方向に配置されてなるヘアーカット用剃刀において、少なくとも２個の刃物の刃先が互いに異方向に配置されてなることを特徴とするヘアーカット用剃刀。
【請求項２】
該刃物が、ヘアーカット剃刀用母材の長手方向と平行する基準線Ｌと鋭角に交差するように向きながら配置されていることを特徴とする請求項１記載のヘアーカット用剃刀。
【請求項３】
刃先を備えた少なくとも２個の刃物が、ヘアーカット剃刀用母材の短手方向一方側と短手方向他方側に交互に位置をずらしながら、長手方向に沿って並列に立設され、前記刃先が刃物の立起方向に対して直角方向に配置されてなるヘアーカット用剃刀において、該短手方向一方側に立設された刃物の刃先が短手方向一方側に向くように、該短手方向他方側に立設された刃物の刃先は短手方向他方側を向くように配置されていることを特徴とするヘアーカット用剃刀。
【請求項４】
２つの刃先を刃物の両側に具えた少なくとも２個の刃物がヘアーカット剃刀用母材立起され、該刃先が刃物の立起方向に対して直角方向に配置されてなることを特徴とするヘアーカット用剃刀。
【請求項５】
取扱い時の傷害を抑制する制御部材が該刃物の刃先の傍らに設けられてなることを特徴とする請求項１乃至４のいずれかに記載のヘアーカット用剃刀。
【請求項６】
取扱い時の傷害を抑制する制御部材が細長いピン状部材からなることを特徴とする請求項１乃至５のいずれかに記載のヘアーカット用剃刀。
【請求項７】
刃先を備えた少なくとも２個の刃物が剃刀用母材に立起され、該刃先が刃物の立起方向に対して直角方向に配置されてなると共に、少なくとも２個の刃物の刃先が互いに異方向に配置されたものであって、ヘアーカット剃刀本体に着脱自在に設けられてなることを特徴とするヘアーカット交換用剃刀。
【請求項８】
該刃物が、剃刀用母材の長手方向と平行する基準線Ｌと鋭角に交差するように向きながら配置されていることを特徴とする請求項７記載のヘアーカット交換用剃刀。
【請求項９】
刃先を備えた少なくとも２個の刃物が、剃刀用母材の短手方向一方側と短手方向他方側とに交互に位置をずらしながら、長手方向に沿って並列に立設され、前記刃先が刃物の立起方向に対して直角方向に配置されてなるヘアーカット交換用剃刀において、該短手方向一方側に立設された刃物の刃先が短手方向一方側に向くように、該短手方向他方側に立設された刃物の刃先は短手方向他方側を向くように配置されていることを特徴とするヘアーカット交換用剃刀。
【請求項１０】
取扱い時の傷害を抑制する制御部材が該刃物の刃先の傍らに設けられてなることを特徴とする請求項７乃至９のいずれかに記載のヘアーカット交換用剃刀。
【請求項１１】
取扱い時の傷害を抑制する制御部材が細長いピン状部材からなることを特徴とする請求項７乃至１０のいずれかに記載のヘアーカット交換用剃刀。
【請求項１２】
複数の細長いピン状部材を有するヘアーブラシのヘアーカット剃刀用母材の略中央に、刃先を備えた少なくとも２個の刃物がヘアーカット剃刀用母材の長手方向に沿って並列に立設され、前記刃先が刃物の立起方向に対して直角方向に配置されてなるヘアーブラシにおいて、少なくとも２個の刃物の刃先が互いに異なる方向を向いて配置されていることを特徴とするヘアーカット用剃刀と一体化されたヘアーブラシ。
【発明の詳細な説明】
【技術分野】
【０００１】
この発明は、毛髪を部分的に切断するヘアーカット用剃刀およびヘアーカット用剃刀に供するヘアーカット交換用剃刀に関する。
【背景技術】
【０００２】
毛髪の美粧を図ることを目的として、ヘアーカット用剃刀を採用することは広く行われている。たとえば、特開２００３−１９０６７５公報に記載された形態の発明が知られている。この例は、該剃刀３０の刃体３２は刃縁３４から飛び出した半円状の突起３６により刃縁３４が断続して被覆され、露出した刃縁３４ａと被覆された刃縁３４ｂが交互に設けられている。そして、隣接する一対の前記した突起３６、３６間には毛髪の切断時の梳き量を制限することを目的とした溝３８が設けられているものである（図１１、図１２を参照）。
【特許文献１】特開２００３−１９０６７５公報
【０００３】
また、本出願人は、図１に示すような、刃物の刃先が同一方向に向いて配置されているヘアーカット用剃刀を出願しているが、このようなヘアーカット用剃刀を右手に持ち頭部の背面側の毛髪を切断する場合は、刃先が下（首側）を向いて効率よく毛髪を切断することができるが、左手に持った場合は、刃先が上（頭頂部側）を向いてしまい、毛髪を切断しづらくなりヘアーカット用剃刀を持ち替えて使用しなければならないという問題があった。
【発明の開示】
【発明が解決しようとする課題】
【０００４】
前記の背景技術では毛髪の切断時に前記した刃体３２の露出した刃縁３４ａに供給される毛髪の量は突起３６により安定化する有利性について評価できるとしても、毛髪に対して露出した刃縁３４ａは、周知のこの種の剃刀と同様に直角（十文字状）に臨むことになる（図１１、図１２を参照）。したがって、剃刀３０を頭部Ｔの頭皮に沿わせて移動することにより、毛髪Ｈを確実に切断できることを否定するものではないものの、次の点に問題があった。毛髪Ｈに対して露出した刃縁３４ａが直角に臨むことになるから、とかく過剰に毛髪Ｈを切断するおそれを回避できなかった。
【０００５】
この点をさらに、図１１〜図１４を参照して説明すると、刃体３２の刃縁３４ａは毛髪Ｈに対して図示のように直角方向に移動することになるから、毛髪Ｈを確実に切断できるものの、その刃縁３４ａの傾斜角度が毛髪Ｈに対して鋭角から直角に向かうほどその切断機能は向上するが、切断機能が向上するに従い、毛髪Ｈを過剰に切断しがちになり、非切断部の毛髪部と切断部の毛髪部に較差を生じ、いわゆる“虎刈り現象”を発生するおそれがあった。他方、毛髪Ｈの虎刈り現象を回避するため、過剰な毛髪の切断を抑制することを意図して刃縁３４ａの傾斜角度を変化させようとしても、その作業は必ずしも容易ではなかった。剃刀３０を自身により頭部の毛髪Ｈを切断する場合、とりわけ、見ることに困難のある頭部の背面側の毛髪Ｈを勘といわゆる“こつ”を頼りに行うことになるから、毛髪Ｈの過剰な切断あるいは反対に毛髪の切断量が少量になるおそれがあり、その結果、虎刈りの現象を回避するには困難性が残った。この虎刈り現象を回避しようとすれば、毛髪Ｈに対する剃刀３０の刃縁３４ａの当接角度を適宜に調整して行う必要があった。
【０００６】
しかし、剃刀３０の刃縁３４ａの傾斜角度を一定に設定し、その角度を保持しつつ、毛髪Ｈの切断を継続的に実施するにはその作業が手作業による性質上極めて困難であり、結局、バランスのとれた毛髪Ｈを調整することが困難であった。この発明の目的は、前記の背景技術の構成が有していた問題点を解決しようとするものであり、過剰に毛髪を切断したり、その反対に毛髪の切断量が少量になることがなく、とりわけ、虎刈り現象を生じることのないヘアーカット用剃刀を提供することとそのヘアーカット用剃刀に供するヘアーカット交換用剃刀を提供することにある。
【０００７】
また、この発明の他の目的は、少なくとも２個の刃物の刃先を互いに異方向に配置させて、頭部の背面側の毛髪を切断する場合に、右手や左手に持ち替えることなく、片手で頭部の背面側の毛髪全体を容易に切断することである。
【０００８】
更に、この発明の他の目的は、ヘアーカット用剃刀およびヘアーカット交換用剃刀の取扱い時に刃物により、人体の指などを損傷させるおそれのない安全性に優れたヘアーカット用剃刀およびヘアーカット交換用剃刀を提供することにある。ヘアーカット用剃刀およびヘアーカット交換用剃刀のその他の目的は、以下の説明と図面を参照して容易に理解されるであろう。
【課題を解決するための手段】
【０００９】
上記課題を解決するために本発明が採った手段は、刃先を備えた少なくとも２個の刃物がヘアーカット剃刀用母材に立起され、該刃先が刃物の立起方向に対して直角方向に配置されてなるヘアーカット用剃刀において、少なくとも２個の刃物の刃先が互いに異方向に配置されてなることを特徴とする。
【００１０】
また、刃物が、ヘアーカット剃刀用母材の長手方向と平行する基準線Ｌと鋭角に交差するように向きながら配置されていることを特徴とする。
【００１１】
また、刃先を備えた少なくとも２個の刃物が、ヘアーカット剃刀用母材の短手方向一方側と短手方向他方側に交互に位置をずらしながら、長手方向に沿って並列に立設され、前記刃先が刃物の立起方向に対して直角方向に配置されてなるヘアーカット用剃刀において、該短手方向一方側に立設された刃物の刃先が短手方向一方側に向くように、該短手方向他方側に立設された刃物の刃先は短手方向他方側を向くように配置されていることを特徴とする。
【００１２】
また、２つの刃先を刃物の両側に具えた少なくとも２個の刃物がヘアーカット剃刀用母材立起され、該刃先が刃物の立起方向に対して直角方向に配置されてなることを特徴とする。
【００１３】
また、取扱い時の傷害を抑制する制御部材が該刃物の刃先の傍らに設けられてなるヘアーカット用剃刀であることを特徴とする。
【００１４】
また、取扱い時の傷害を抑制する制御部材が細長いピン状部材からなることを特徴とする。
【００１５】
また、刃先を備えた少なくとも２個の刃物が剃刀用母材に立起され、該刃先が刃物の立起方向に対して直角方向に配置されてなると共に、少なくとも２個の刃物の刃先が互いに異方向に配置されたものであって、ヘアーカット剃刀本体に着脱自在に設けられてなることを特徴とする。
【００１６】
また、刃物が、剃刀用母材の長手方向と平行する基準線Ｌと鋭角に交差するように向きながら配置されていることを特徴とする。
【００１７】
また、刃先を備えた少なくとも２個の刃物が、剃刀用母材の短手方向一方側と短手方向他方側とに交互に位置をずらしながら、長手方向に沿って並列に立設され、前記刃先が刃物の立起方向に対して直角方向に配置されてなるヘアーカット交換用剃刀において、該短手方向一方側に立設された刃物の刃先が短手方向一方側に向くように、該短手方向他方側に立設された刃物の刃先は短手方向他方側を向くように配置されていることを特徴とする。
【００１８】
また、取扱い時の傷害を抑制する制御部材が該刃物の刃先の傍らに設けられてなるヘアーカット交換用剃刀であることを特徴とする。
【００１９】
また、取扱い時の傷害を抑制する制御部材が細長いピン状部材からなるヘアーカット交換用剃刀であることを特徴とする。
【００２０】
また、複数の細長いピン状部材を有するヘアーブラシのヘアーカット剃刀用母材の略中央に、刃先を備えた少なくとも２個の刃物がヘアーカット剃刀用母材の長手方向に沿って並列に立設され、前記刃先が刃物の立起方向に対して直角方向に配置されてなるヘアーブラシにおいて、少なくとも２個の刃物の刃先が互いに異なる方向を向いて配置されていることを特徴とする。
【００２１】
この明細書において、刃先が刃物の立起方向に対して直角方向に配置されとは、図２に見られるように、刃先１２ａは刃物１２と一体に構成されていることから、刃物１２の立起に伴って刃先１２ａも立起し、該立起した刃先１２ａが横方向（直角方向）を指向することを意味する。
【発明の効果】
【００２２】
頭部の背面側の毛髪を切断する場合、一般的にヘアーカット剃刀を右手に持ち頭部の背面側から首筋にかけてヘアーカット剃刀を移動させる場合と、ヘアーカット剃刀を左手に持ち頭部の背面側から首筋にかけて剃刀を移動させる場合に分けられる。そして、これらの場合、刃物の刃先はその移動方向に向けられていることが希望される。しかし、その希望を満足させるには、該剃刀を右手用と左手用に分けて生産する必要があるが、両者を別々に分けて生産することは煩雑であり、かつ、生産コストの増加を招くから、この発明者は前記したように刃物の刃先を異方向に配置することにより、いわば左右に兼用できるという効果を有する。
【発明を実施するための最良の形態】
【００２３】
この発明の実施例について図面を参照して説明する。
【実施例１】
【００２４】
実施例１のヘアーカット剃刀について、図６を参照して説明する。このヘアーカット剃刀は、ハンドル１６を有するヘアーカット用剃刀用母材１４に、刃先１２ａを備えた６個の刃物１２が並列に立起されている。この６個の刃物１２の刃先１２ａは、隣接する刃先１２ａ毎にその向きが異方向に配置されている。これらの刃先１２ａの配置方向は、図示の例では互いに１８０度異なるが、１８０度に制約されない。図６では、刃物１２の刃先１２ａの傍らにピン状の制御部材１８が設けられているが必ずしも設ける必要はない。刃物１２の刃先１２ａが互いに異方向に設けられてなることにより、右手でも左手でも持ち替えることなく、毛髪を切断できる。
【実施例２】
【００２５】
実施例２のヘアーカット剃刀について、図７を参照して説明する。この実施例２では、刃物１２の両側に刃先１２ａが設けられることにより、左右の区別に拘わりなく使用上の便宜が配慮された例である。その他の構成は実施例１と同じである。
【実施例３】
【００２６】
実施例３のヘアーカット剃刀について、図８を参照して説明する。前記した実施例１では、刃物１２の刃先１２ａが異なる方向に配置され、刃物１２が並列に配置されたものであったが、この例にでは、６個の刃物１２ｎ１、１２ｎ２、１２ｎ３、１２ｎ４、１２ｎ５、１２ｎ６が非並列に配置されている。つまり、平面から見たとき隣接する６個の１２ｎらはそれぞれ刃先１２ａの向きを互い違いになっている。そして、６個の刃物１２ｎ１、１２ｎ２、１２ｎ３、１２ｎ４、１２ｎ５、１２ｎ６が図の左端から右端にかけて第１番目の刃物１２ｎ１（左端）の刃先１２ａが図面の上方に位置し、第２番目の刃物１２ｎ２の刃先１２ａが図面上下方に向けられ、かつ、刃物１２ｎ２が図面上上方に飛び出し、以下順次、第３番目の刃物１２ｎ３の刃先１２ａが第１番目の刃物１２ｎ１の刃先１２ａと共通に図面上上方に位置し、第４番目の刃物１２ｎ４は第２番目の刃物１２ｎ２と共通に設定され、以下、前記した構成が反復され第５番目の刃物１２ｎ５、第６番目（右端）の刃物１２ｎ６が凸凹状つまり非並列に構成されている。
【００２７】
このような構成による場合、図面上、左端に位置する第１番目の刃物１２ｎ１と右端に位置する第６番目の刃物１２ｎ６のそれぞれの刃先１２ａの傍らには、剃刀１０の取扱い時における指などの障害を抑制することを目的としてそれぞれ前記した安全ピンなどの制御部材１８を設けることが望まれる。一方、これら両者の刃物１２ｎ１、１２ｎ６間に位置する刃物１２ｎ２、１２ｎ３、１２ｎ４、１２ｎ５の各刃先１２ａはそれぞれ隣接するそれぞれの刃物１２ｎ１、１２ｎ２、１２ｎ３、１２ｎ４、１２ｎ５、１２ｎ６の刃先１２ａと反対側から内側に位置するそれぞれ位置することになる。したがって、刃先１２ａが隣接する刃物１２ｎ１、１２ｎ２、１２ｎ３、１２ｎ４、１２ｎ５、１２ｎ６の刃先１２ａと反対側の内側に位置することから、剃刀１０の取扱い時における指などはこれらの刃物１２ｎ１、１２ｎ２、１２ｎ３、１２ｎ４、１２ｎ５、１２ｎ６のそれぞれの刃先１２ａと反対側が干渉するから、両側の刃先１２ｎ１、１２ｎ６の刃先１２ａを除き、前記した制御部材１８は必ずしも必要としない。
【実施例４】
【００２８】
実施例４のヘアーカット交換用剃刀２０について、図９を参照して説明する。ヘアーカット交換用剃刀２０は、交換用母材２２の一面に刃先の向きが異なる刃物１２が交互に立起されている。この実施例４では、刃先１２ａの向きが異なる刃物１２が５個設けられているが、その数は限定されるものではない。ヘアーカット交換用剃刀２０は、刃物用母材１４とハンドル１６からなるヘアーカット剃刀１０の刃物用母材１４に嵌合孔（図示せず。）を形成し、該嵌合孔に着脱自在に取り付けられる。２２ａは、ヘアーカット交換用剃刀２０の波状の凹凸側面で、２２ｂは、ストッパーで、２２ｃは、つまみである。
【実施例５】
【００２９】
実施例５について、図１０を参照して説明する。この実施例５では、細長いピン状部材を兼ねた制御部材１８が刃物１２の周辺に多数配設されて、全体としてヘアブラシ２５となっているものである。その他の構成は、実施例１と同様である。
【００３０】
この明細書の「細長いピン状部材」は、ブラシ歯、梳き歯、ブラシ毛、くし歯などを用いることができ、横断面が円形のほか、角張って指などに傷害を与えるようなものでなければ形態を問わない。なお、制御部材１８が細長いピン状部材を兼ねているものである場合、毛髪Ｈを梳かしつつ毛髪Ｈの切断を行うことができる。
【００３１】
更に本発明の別な実施形態について説明する。図１０に示されるように本発明のヘアーカット用剃刀１０をヘアーブラシの細長いピン状部材内において一体的に構成せしめた実施形態であり、特に細長いピン状部材に密度を刃先の前側と後側とで異なるようにしたことを特徴とするものである。つまり、相対的に細長いピン状部材密度の低い側においては実際に髪の毛等をブラッシングする際の抵抗が少なくブラシの通りが良好になる。一方、細長いピン状部材密度の高い側ではブラッシングの抵抗が相対的に大きくなるがブラッシング自体は繊細且つ丁寧に行われることになり良好な仕上がり状態を実現することが可能となる。ヘアーカット用剃刀１０の刃先に対して前後どちら側の細長いピン状部材密度を相対的に高めるかは目的に応じて任意に選択することができる。ただし、実際にヘアーカット及びブラッシングを行う上での効果を実感するには刃先前後での細長いピン状部材密度の相対的な差異を最低で５％以上とする必要がある。より好ましくは細長いピン状部材密度差を１０〜３０％とするべきである。
【００３２】
本発明において効率的にヘアーカットとブラッシングを行うには刃先の前側における細長いピン状部材密度を後側よりも相対的に低いものとすることが望ましい。すなわち、刃先において髪の毛をカットする前は比較的大雑把に整えられれば良く、カット後の髪の毛は丁寧なブラッシング仕上げを施されるのが望ましいからである。
【図面の簡単な説明】
【００３３】
【図１】刃物の刃先が同一方向に向いて配置されているヘアーカット用剃刀の斜視図
【図２】ヘアーカット用剃刀の要部の拡大側面図である。
【図３】ヘアーカット用剃刀の使用状態を示す拡大説明図
【図４】ヘアーカット用剃刀の使用状態を示す拡大説明図
【図５】ヘアーカット用剃刀による毛髪の切断用状態を示す拡大説明図
【図６】実施例１に係るヘアーカット用剃刀の斜視図
【図７】実施例２に係るヘアーカット用剃刀の斜視図
【図８】実施例３に係るヘアーカット用剃刀の斜視図
【図９】実施例４に係るヘアーカット交換用剃刀の斜視図である。
【図１０】実施例５に係るヘアーカット用剃刀の斜視図である。
【図１１】背景技術の要部の拡大正面図
【図１２】背景技術の要部の更なる拡大正面図
【図１３】背景技術の使用状態を示す拡大説明図
【図１４】背景技術のヘアーカット用剃刀による毛髪の切断状態を示す拡大正面図
【符号の説明】
【００３４】
１０   ヘアーカット用剃刀
１２   刃物
１２ａ 刃物の刃先
１４   ヘアーカット剃刀用母材
１６   ハンドル
１８   制御部材 
２０   ヘアーカット交換用剃刀
２２   交換用母材
２２ａ 凹凸側面
２２ｂ ストッパー
２２ｃ つまみ
２５   ヘアーブラシ
Ｌ 基準線  
Ｈ 毛髪
Ｔ 頭皮
【図１】
0004065009.tif 000002
【図２】
0004065009.tif 000003
【図３】
0004065009.tif 000004
【図４】
0004065009.tif 000005
【図５】
0004065009.tif 000006
【図６】
0004065009.tif 000007
【図７】
0004065009.tif 000008
【図８】
0004065009.tif 000009
【図９】
0004065009.tif 000010
【図１０】
0004065009.tif 000011
【図１１】
0004065009.tif 000012
【図１２】
0004065009.tif 000013
【図１３】
0004065009.tif 000014
【図１４】
0004065009.tif 000015